(57)【要約】【課題】  標準構成のレセプタクル本体に対し、取り付ける機器に対応した構成のフランジを連結することにより、多様な機器に取り付け可能にするとともに、部品点数を削減し製造コストを低減できるコネクタを提供する。【解決手段】  例えば、ＨＤＭＩ規格に準拠するように構成されたレセプタクル１の外表面上には、複数の突起部３が設けられる。この突起部３をフランジ４の貫通孔に挿通してカシメることにより連結する。フランジ４は、レセプタクル１を取り付ける機器に対応するように各種の形状に構成される。標準部品としてのレセプタクル１に対し、適合するフランジ４を連結することにより、機器に対応させてレセプタクルの位置を適合させる。【選択図】    図１
2011090822.tif 000002
【特許請求の範囲】
【請求項１】
少なくとも複数のコンタクトと、該コンタクトが配列・保持されるレセプタクルとからなるコネクタにおいて、前記レセプタクル外表面上に複数の突起部が設けられていることを特徴とするコネクタ。
【請求項２】
前記突起部が前記複数のコンタクト配列と平行に設けられていることを特徴とする請求項１記載のコネクタ。
【請求項３】
フランジ部が前記突起部において前記レセプタクルに結合されていることを特徴とする請求項１または２記載のコネクタ。
【請求項４】
前記フランジ部が前記突起部のカシメにより前記レセプタクルに結合されていることを特徴とする請求項３記載のコネクタ。
【発明の詳細な説明】
【技術分野】
【０００１】
本発明は、特にＨＤＭＩ規格ケーブルのプラグ着脱に適したコネクタに関する。
【背景技術】
【０００２】
ディジタルオーディオビジュアル機器間の接続において、ＨＤＭＩ(High-Definition Multimedia Interface)（登録商標）規格に準拠したケーブル及びコネクタが実用に供されている。このようなコネクタを機器に取り付ける際には、プラグとレセプタクルとの接続を容易とするため、レセプタクルを機器の筐体または壁面に設置して、プラグ接続用開口部を外側に向けておく必要がある。
【０００３】
このようなレセプタクルの取付け方法については、例えば特許文献１に開示されているように、切欠片や固定部材を用いて回路基板や筐体に固定する方法がある。
【０００４】
また、機器の壁面に取り付ける場合は、特許文献２や特許文献３に開示されているようにレセプタクルに連結されたフランジを用いてネジ止めする方法も知られている。
【０００５】
【特許文献１】特開２００９−１１０６９７号公報
【特許文献２】特開２００８−１７１７２５号公報
【特許文献３】実用新案登録第３１１３０５６号公報
【発明の開示】
【発明が解決しようとする課題】
【０００６】
上述のようなレセプタクルは、機器や回路基板の設計により多種多様の固定方法となるため、それに合わせてレセプタクルの工程手段の位置を変更しなければならない。そのために、多種多様の固定方法に合わせてレセプタクル自体の形状を変更することから、多種多様の金型を製造する必要がある。この結果、金型費を含むコストが高くなるとともに、製造上の手間が必要なってしまうという問題点があった。
【０００７】
本発明は、標準構成のレセプタクル本体に対し、取り付ける機器に対応した構成のフランジを連結することにより、多様な機器に取り付け可能にするとともに、部品点数を削減し製造コストを低減できるコネクタを提供することを課題とする。
【課題を解決するための手段】
【０００８】
上述の課題を解決するため本発明によるコネクタは、少なくとも複数のコンタクトと、該コンタクトが配列・保持されるレセプタクルとからなるコネクタにおいて、前記レセプタクル外表面上に複数の突起部が設けられ、この突起部にフランジを固定することを特徴とする。
【０００９】
前記突起部は前記複数のコンタクト配列と平行に設けられていることが望ましい。
【００１０】
また、フランジ部が前記突起部において前記レセプタクルに結合されていることが好適であり、フランジ部は突起部のカシメにより結合することが好適である。
【発明の効果】
【００１１】
本発明によるコネクタでは、レセプタクル外表面に複数の突起部を設けていることから、取り付ける機器に対応して製造された１種のフランジの透孔を突起部に嵌合して固定することにより、機器の設計が異なってもレセプタクルの位置を容易に適合させることが可能となる。また、コネクタ本体を標準構成として大量に製造することが可能となり、フランジ部のみを機器の設計に合わせて別に製造することができるため、フランジ部の形態を変更するだけで多様な機器に合わせることが可能となるので、製造コストを低減することができる。
【発明を実施するための最良の形態】
【００１２】
以下、図面に基づいて本発明の好適な実施例について説明する。図１に本発明によるコネクタの第１の実施例を示す。第１の実施例および後述する各実施例に示されるコネクタは、ＨＤＭＩ規格（Ｈｉｇｈ−Ｄｅｆｉｎｉｔｉｏｎ Ｍｕｌｔｉｍｅｄｉａ Ｉｎｔｅｒｆａｃｅ）（登録商標）（Ｖｅｒｓｉｏｎ １．３）におけるＡ，Ｂタイプのいずれにも準拠し得るものとされる。レセプタクル１は、ＨＤＭＩ規格に準拠するように構成され、その詳細な説明は省略する。このレセプタクル１は、外表面を構成する部材が、塑性変形可能な金属板または合成樹脂によって構成されている。
【００１３】
図１(a)は正面側からの斜視図であり、レセプタクル１の外表面の上部には、２個の突起部３が一体に設けられている。(b)は背面側からの斜視図を示す。突起部３はレセプタクル１の幅方向に対して平行に設けられている。
【００１４】
図２は、本発明によるコネクタの第２の実施例を示す。上記第１の実施例においては、突起部３がプラグ挿入口１１近くに設けられていたが、この第２の実施例においてはプラグ挿入口１１から離れた位置に設けてある。これらの実施例においては、突起部３を１列だけ設けた場合を示したが、例えば、プラグ挿入口１１近くと離れた位置との２列設けることにより、後述するフランジ部４の取付け位置を調整して、コネクタ取付けの自由度を増すことが可能となる。
【００１５】
図３(a)(b)は、図１に示した実施例に対してフランジ部４を取り付けた状態を示す。フランジ部４は、側面Ｌ字状に形成されていて、フランジ基部４ｂには貫通孔が形成され、上部には取付孔４ａが形成されている。図３の(a)と(b)とでは、フランジ形状は同じであるが、フランジ基部４ｂの向きが逆に形成されており、コネクタの取付け位置を変更することが可能となる。フランジ部４をレセプタクル１に結合する場合は、フランジ基部４ｂに設けた貫通孔にレセプタクル１の外表面に形成した突起部３を挿通し、カシメることにより固定する。
【００１６】
図１及び図２に示したレセプタクル１は、ＨＤＭＩ規格に準拠するように標準の構成となっていて、フランジ基部１２の形態に関わりなく、標準部品として大量に製造することができる。そして、この標準構成のレセプタクル１に対して、図３(a)(b)に示すように、向きが逆に形成されたフランジ部４をレセプタクル１の外表面に形成した突起部３にカシメ固定することにより、異なる種類のコネクタが形成される。
【００１７】
図４(a)(b)は、図３に示したフランジ部４とは異なる形状に形成している。すなわち、(a)(b)に示すフランジ部５は、正面から見た形状が略コ字状に形成され、取付孔５ａが両側に各々形成されている。図４(a)と(b)では、図３と同様に、フランジ部５の向きを逆にしたものである。この例においても、標準構成のレセプタクル１に対して、図４(a)(b)に示す構成のフランジ部５のフランジ基部５ｂに設けた貫通孔をレセプタクル１の外表面に形成した突起部３にカシメ固定することにより、図３に示したコネクタとは異なった種類のコネクタが形成される。
【００１８】
図５は、さらに別の形状のフランジ部６を形成した例を示す。このフランジ形状においては、突起部３の位置によりフランジ部６の位置を前後させることができる。すなわち、図５(a)(b)に示すレセプタクル１に形成した突起部１３、１４の位置が前後に異なるように形成されている。従って、図５に示すレセプタクル１は、ＨＤＭＩ規格に準拠する標準の構成になっているが、突起部１３、１４の位置の相違によって２種のレセプタクルに構成されている。このような、前後に形成された突起部１３、１４の位置を選択してフランジ部６をカシメ固定することにより、異なった種類のコネクタを製造することができる。
【００１９】
なお、上述したコネクタは、本発明において好適な実施例を例示したものであり、レセプタクルはＨＤＭＩ規格以外の規格のものであっても良く、また、フランジの形状や構成についても、コネクタが取り付けられる多様な機器に合わせて、多様な形状に変更可能である。
【００２０】
以上のように、本発明によるコネクタでは、ハウジング外表面に複数の突起部を設けているため、この突起部の位置を変更する、或いは複数の位置に突起部を設けておいてフランジ部のカシメ位置を変更することにより、機器の設計が異なってもレセプタクルの位置を容易に適合させることが可能となる。また、コネクタ本体とフランジ部とを別に製造することができるため、機器の設計に合わせてフランジ部の形態を変更することも容易である。従って、特に各設計に適したＨＤＭＩコネクタを安価に提供することができる。
【産業上の利用可能性】
【００２１】
本発明のコネクタは、ＨＤＭＩ規格等の各種規格に準拠したコネクタに適用できる。
【図面の簡単な説明】
【００２２】
【図１】本発明によるコネクタの第１の実施例を示す斜視図である。(a)は正面側、(b)は背面側である。
【図２】本発明によるコネクタの第２の実施例を示す斜視図である。(a)は正面側、(b)は背面側である。図１に示した実施例と突起部の形成位置を変えてある。
【図３】本発明によるコネクタにフランジ部を取り付けた状態を示す。
【図４】本発明によるコネクタに、図３とは別のフランジを取り付けた状態を示す。
【図５】本発明によるコネクタに、上記とは別のフランジを取り付けた状態を示す。
【符号の説明】
【００２３】
１    レセプタクル
２    コンタクト端子
３    突起部
４    フランジ部
５    取付孔
【図１】
2011090822.tif 000003
【図２】
2011090822.tif 000004
【図３】
2011090822.tif 000005
【図４】
2011090822.tif 000006
【図５】
2011090822.tif 000007